(57)【要約】【課題】  外部記憶媒体上のデータの参照や編集の際に外部記憶媒体を取り外す必要がない原稿画像読取記録装置を提供する。【解決手段】  ＰＣ（外部装置）１６から読出命令又は書込命令を受信する命令受信手段と、この命令受信手段により読出命令が受信された場合に、着脱可能なメモリカード（外部記憶媒体）１７上のデータを読み出す読出手段と、この読出手段により読み出されたデータをＰＣ１６へ送信するデータ送信手段と、命令受信手段により書込命令が受信された場合にＰＣ１６からデータを受信するデータ受信手段と、このデータ受信手段により受信されたデータをメモリカード１７に書き込む書込手段と、を備えた。【選択図】      図１
2006217512.tif 000002
【特許請求の範囲】
【請求項１】
外部装置から読出命令又は書込命令を受信する命令受信手段と、
この命令受信手段により読出命令が受信された場合に、着脱可能な外部記憶媒体上のデータを読み出す読出手段と、
この読出手段により読み出されたデータを前記外部装置へ送信するデータ送信手段と、
前記命令受信手段により書込命令が受信された場合に、前記外部装置からデータを受信するデータ受信手段と、
このデータ受信手段により受信されたデータを前記外部記憶媒体に書き込む書込手段と、
を備えたことを特徴とする原稿画像読取記録装置。
【請求項２】
読出命令又は書込命令が受信された場合に、前記外部記憶媒体が装着されているか否かを検出する検出手段と、
この検出手段により前記外部記憶媒体が装着されていないと検出された場合に、装着エラー信号を前記外部装置へ送信する装着エラー信号送信手段と、
を備え、
前記読出手段は、前記命令受信手段により読出命令が受信されかつ前記検出手段により前記外部記憶媒体が装着されていると検出された場合に、前記外部記憶媒体上のデータを読み出し、
前記データ受信手段は、前記命令受信手段により書込命令が受信されかつ前記検出手段により前記外部記憶媒体が装着されていると検出された場合に、前記外部装置からデータを受信することを特徴とする請求項１記載の原稿画像読取記録装置。
【請求項３】
前記検出手段により前記外部記憶媒体が装着されていると検出された場合に、前記外部記憶媒体のファイルフォーマットが適切であるか否かを判断する判断手段と、
この判断手段により前記外部記憶媒体のファイルフォーマットが適切でないと判断された場合に、フォーマットエラー信号を前記外部装置へ送信するフォーマットエラー信号送信手段と、
を備え、
前記読出手段は、前記命令受信手段により読出命令が受信され、前記検出手段により前記外部記憶媒体が装着されていると検出され、かつ、前記判断手段により前記外部記憶媒体のファイルフォーマットが適切であると判断された場合に、前記外部記憶媒体上のデータを読み出し、
前記データ受信手段は、前記命令受信手段により書込命令が受信され、前記検出手段により前記外部記憶媒体が装着されていると検出され、かつ、前記判断手段により前記外部記憶媒体のファイルフォーマットが適切であると判断された場合に、前記外部装置からデータを受信することを特徴とする請求項２記載の原稿画像読取記録装置。
【発明の詳細な説明】
【技術分野】
【０００１】
本発明は、外部記憶媒体が着脱自在に装着された原稿画像読取記録装置に関するものである。
【背景技術】
【０００２】
従来のこの種の技術としては、例えば、複数の通信相手の各々を指定する複数のボタンを有する操作手段と、この操作手段の各ボタンに対応した相手先番号情報を含む着脱可能な外部記憶媒体から相手先番号情報を読み取る読取手段と、前記外部記憶媒体が装着されかつ前記ボタンのいずれかが操作されたときに、そのボタンに対応する相手先番号情報を前記外部記憶媒体から前記読取手段によって読み出し、この相手先番号情報に基づき通信を制御する制御手段とを備えた通信端末装置が知られている（例えば、特許文献１参照。）。
【特許文献１】特開平１１−１４６０５２号公報（請求項１、図１等）
【発明の開示】
【発明が解決しようとする課題】
【０００３】
しかしながら、上記のような通信端末装置上では、外部記憶媒体上のデータの参照や編集を行うことができない。そのため、外部記憶媒体上のデータの参照や編集を行う際には、外部記憶媒体を一旦取り外し、パーソナルコンピュータに接続されたカードリーダ・ライタに装着する必要があるという問題点がある。
【０００４】
本発明は、以上のような問題点に鑑みてなされたものであり、外部記憶媒体上のデータの参照や編集の際に外部記憶媒体を取り外す必要がない原稿画像読取記録装置を提供することを目的とする。
【課題を解決するための手段】
【０００５】
上記目的を達成するための請求項１の発明は、外部装置から読出命令又は書込命令を受信する命令受信手段と、この命令受信手段により読出命令が受信された場合に、着脱可能な外部記憶媒体上のデータを読み出す読出手段と、この読出手段により読み出されたデータを前記外部装置へ送信するデータ送信手段と、前記命令受信手段により書込命令が受信された場合に、前記外部装置からデータを受信するデータ受信手段と、このデータ受信手段により受信されたデータを前記外部記憶媒体に書き込む書込手段と、を備えたものである。
【０００６】
請求項２の発明は、読出命令又は書込命令が受信された場合に、前記外部記憶媒体が装着されているか否かを検出する検出手段と、この検出手段により前記外部記憶媒体が装着されていないと検出された場合に、装着エラー信号を前記外部装置へ送信する装着エラー信号送信手段と、を備え、前記読出手段は、前記命令受信手段により読出命令が受信されかつ前記検出手段により前記外部記憶媒体が装着されていると検出された場合に、前記外部記憶媒体上のデータを読み出し、前記データ受信手段は、前記命令受信手段により書込命令が受信されかつ前記検出手段により前記外部記憶媒体が装着されていると検出された場合に、前記外部装置からデータを受信するものである。
【０００７】
請求項３の発明は、前記検出手段により前記外部記憶媒体が装着されていると検出された場合に、前記外部記憶媒体のファイルフォーマットが適切であるか否かを判断する判断手段と、この判断手段により前記外部記憶媒体のファイルフォーマットが適切でないと判断された場合に、フォーマットエラー信号を前記外部装置へ送信するフォーマットエラー信号送信手段と、を備え、前記読出手段は、前記命令受信手段により読出命令が受信され、前記検出手段により前記外部記憶媒体が装着されていると検出され、かつ、前記判断手段により前記外部記憶媒体のファイルフォーマットが適切であると判断された場合に、前記外部記憶媒体上のデータを読み出し、前記データ受信手段は、前記命令受信手段により書込命令が受信され、前記検出手段により前記外部記憶媒体が装着されていると検出され、かつ、前記判断手段により前記外部記憶媒体のファイルフォーマットが適切であると判断された場合に、前記外部装置からデータを受信するものである。
【発明の効果】
【０００８】
請求項１の発明によれば、外部記憶媒体上のデータの参照や編集の際に外部記憶媒体を取り外す必要がない。
【０００９】
請求項２の発明によれば、外部記憶媒体が装着されていないと検出された場合に装着エラー信号が外部装置へ送信されるので、外部記憶媒体が装着されていないことを外部装置に通知することができる。
【００１０】
請求項３の発明によれば、外部記憶媒体のファイルフォーマットが適切でないと判断された場合にフォーマットエラー信号が外部装置へ送信されるので、外部記憶媒体のファイルフォーマットが適切でないことを外部装置に通知することができる。
【発明を実施するための最良の形態】
【００１１】
以下、本発明の実施形態を図面に基づいて説明する。
本実施形態に係る原稿画像読取記録装置１は、図１に示すように、制御部２、ＲＯＭ（Read Only Memory、読み出し専用メモリ）３、ＲＡＭ（Random Access Memory、随時書き込み読み出しメモリ）４、画像メモリ５、コーデック（ＣＯＤＥＣ）６、モデム７、ＮＣＵ（Network Control Unit、回線網制御装置）８、ＵＳＢ（Universal Serial Bus）インターフェース（Ｉ／Ｆ）９、カードリード・ライト部１０、記録部１１、読取部１２、操作部１３、及び表示部１４等を備えたものであり、各部２〜１４はバス１５を介して互いに通信可能に接続されている。
【００１２】
ＲＯＭ３は、各部３〜１４の動作を制御するための各種の制御プログラム等を記憶している。制御部２は、ＣＰＵ（Central Processing Unit、中央処理装置）等で構成されており、ＲＯＭ３に記憶された制御プログラム等に従って各部３〜１４の動作を制御する。
【００１３】
ＲＡＭ４は、原稿画像読取記録装置１に関する各種の情報〔例えば、ライフ情報（プリント枚数、読取枚数等）、機器設定情報（発信元名、発信元番号等）、ファクス（ＦＡＸ）送信履歴情報、格納履歴情報（コピー履歴、ファクス受信履歴等）、用紙サイズ情報、出力条件情報（原稿種類、濃度、倍率、部数等）〕を記憶する。
【００１４】
読取部１２は、原稿の画像を画像データとして読み取る。画像メモリ５は、読み取られた画像データを一時的に記憶する。記録部１１は、記憶された画像データ等を電子写真方式等により記録用紙に記録（印刷）する。このように、原稿画像読取記録装置１は、原稿の画像を画像データとして読み取る読取手段、読み取られた画像データを記憶する記憶手段、及び記憶された画像データを記録用紙に記録する記録手段を備えている。
【００１５】
表示部１４は、操作部１３等に併設されたＬＣＤ（Liquid Crystal Display、液晶ディスプレイ）等で構成されており、各種のメッセージや画面情報を表示する。操作部１３は、各種の情報や操作（例えば、出力条件情報、原稿のサイズ、コピーや送信等の装置動作のスタート又はストップ）の入力をするための入力キーや選択をするための選択キー等を備えている。原稿画像読取記録装置１に対するユーザによる各種の操作は、この操作部１３を通じて行われる。
【００１６】
ＵＳＢインターフェース９は、外部装置であるパーソナルコンピュータ（以下、「ＰＣ」という。）１６と原稿画像読取記録装置１とを通信可能に接続するインターフェースである。外部装置は、ＰＣ１６の他、ＰＤＡ（Personal Digital Assistant、携帯型情報端末）や携帯電話等であってもよい。外部装置と原稿画像読取記録装置１とを接続するインターフェースは、ＵＳＢインターフェース９の他、ＬＡＮ（Local Area Network、構内ネットワーク）インターフェース等であってもよい。
【００１７】
カードリード・ライト部１０は、着脱自在に装着されたメモリカード（外部記憶媒体）１７上のデータを読み出したり、ＰＣ１６上のデータをメモリカード１７に書き込んだりする。外部記憶媒体は、メモリカード１７の他、超小型のハードディスクドライブ（ＨＤＤ）であるマイクロドライブ等であってもよい。メモリカード１７としては、コンパクトフラッシュ（登録商標）、スマートメディア（商標）、ｘＤピクチャーカード（登録商標）、マルチメディアカード（商標）、ＳＤカード、miniＳＤ（商標）カード、メモリスティック、メモリスティックＤｕｏ等が挙げられる。
【００１８】
コーデック６は、読み取られた画像データを送信等のためにＭＨ（Modified Huffman）方式、ＭＲ（Modified READ）方式、ＭＭＲ（Modified Modified READ）方式等により符号化したり、受信した画像データを復号化したりする。
【００１９】
モデム７は、例えばＩＴＵ−Ｔ（国際電気通信連合−電気通信標準化部門）の勧告Ｖ．３４規格又はこれと同様のものに従った送信データの変調及び受信データの復調を行う。ＮＣＵ８は、ＰＳＴＮ（Public Switched Telephone Network、公衆電話交換網）１８に接続されており、電話回線を制御して電話をかけたり切ったりする。
【００２０】
上記のように構成された原稿画像読取記録装置１は、コピー機の他、ファクス通信機等としても機能する複合機である。原稿画像読取記録装置１は、コピー機やファクス通信機の他、インターネットファクス通信機、ネットワークプリンタ、ネットワークスキャナ等として機能する複合機等であってもよい。
【００２１】
次に、読出処理の一例及び書込処理の一例を図２及び図３に示すフローチャートに基づいてそれぞれ説明する。なお、これらの処理は、ＲＯＭ３に記憶された制御プログラム等に基づいて制御部２が発行する命令に従って行われる。
【００２２】
図２に示すように、読出処理において、ＰＣ１６から読出命令を受信すれば（ステップＳ１）、メモリカード１７が装着されているか否かが検出される（ステップＳ２）。そして、メモリカード１７が装着されていないと検出されれば（ステップＳ２でＮＯ）、装着エラー信号がＰＣ１６へ送信され（ステップＳ３）、処理が終了する。
【００２３】
一方、メモリカード１７が装着されていると検出されれば（ステップＳ２でＹＥＳ）、メモリカード１７のファイルフォーマットが適切であるか否かが判断される（ステップＳ４）。そして、メモリカード１７のファイルフォーマットが適切でないと判断されれば（ステップＳ４でＮＯ）、フォーマットエラー信号がＰＣ１６へ送信され（ステップＳ５）、処理が終了する。
【００２４】
一方、メモリカード１７のファイルフォーマットが適切であると判断されれば（ステップＳ４でＹＥＳ）、読出命令に基づいてメモリカード１７上のデータが読み出される（ステップＳ６）。読み出されたデータがＰＣ１６へ送信されれば（ステップＳ７）、処理が終了する。このような読出処理によれば、メモリカード１７上のデータをＰＣ１６上で参照したり、編集したりすることができる。
【００２５】
図３に示すように、書込処理においても、ＰＣ１６から書込命令を受信すれば（ステップＳ１１）、メモリカード１７が装着されているか否かが検出される（ステップＳ１２）。そして、メモリカード１７が装着されていないと検出されれば（ステップＳ１２でＮＯ）、装着エラー信号がＰＣへ送信され（ステップＳ１３）、処理が終了する。
【００２６】
一方、メモリカード１７が装着されていると検出されれば（ステップＳ１２でＹＥＳ）、メモリカード１７のファイルフォーマットが適切であるか否かが判断される（ステップＳ１４）。そして、メモリカード１７のファイルフォーマットが適切でないと判断されれば（ステップＳ１４でＮＯ）、フォーマットエラー信号がＰＣ１６へ送信され（ステップＳ１５）、処理が終了する。
【００２７】
一方、メモリカード１７のファイルフォーマットが適切であると判断されれば（ステップＳ１４でＹＥＳ）、書込命令に基づいてＰＣ１６からデータを受信する（ステップＳ１６）。受信したデータが書込命令に基づいてメモリカード１７に書き込まれれば（ステップＳ１７）、処理が終了する。このような書込処理によれば、ＰＣ１６上のデータをメモリカード１７に書き込むことができる。ＰＣ１６上のデータは、メモリカード１７から読み出してＰＣ１６上で編集した後のデータの他、ＰＣ１６に読み出された各種のデータ等であってもよい。また、書込の方式は、上書き保存と別名保存のいずれであってもよい。
【００２８】
なお、読出処理や書込処理における外部記憶媒体の既述のファイルフォーマット（ファイルシステム）としては、ＦＡＴ（File Allocation Table）やＦＡＴ３２等が挙げられる。また、両処理における「ファイルフォーマットが適切である」とは、ＰＣ１６等の外部装置がメモリカード１７等の外部記憶媒体にアクセスしてデータの読出及び書込が可能なことをいう。
【００２９】
上記のように構成された原稿画像読取記録装置１によれば、メモリカード１７上のデータの参照や編集の際にメモリカード１７を取り外す必要がないという利点がある。また、既述のように、メモリカード１７が装着されていないと検出された場合に装着エラー信号がＰＣ１６へ送信されたり、メモリカード１７のファイルフォーマットが適切でないと判断された場合にフォーマットエラー信号がＰＣ１６へ送信されたりするように構成しておけば、メモリカード１７が装着されていないことやメモリカード１７のファイルフォーマットが適切でないことをＰＣ１６に通知できるという利点がある。
【産業上の利用可能性】
【００３０】
以上のように、本発明に係る原稿画像読取記録装置は、外部記憶媒体上のデータの参照や編集の際における外部記憶媒体の取り外しを不要とするのに適している。
【図面の簡単な説明】
【００３１】
【図１】実施形態に係る原稿画像読取記録装置の構成例を示すブロック図。
【図２】読出処理の一例を示すフローチャート。
【図３】書込処理の一例を示すフローチャート。
【符号の説明】
【００３２】
１  原稿画像読取記録装置
２  制御部
９  ＵＳＢインターフェース
１０  カードリード・ライト部
１６  ＰＣ（外部装置）
１７  メモリカード（外部記憶媒体）
【図１】
2006217512.tif 000003
【図２】
2006217512.tif 000004
【図３】
2006217512.tif 000005